(57)【要約】【課題】  プラットホーム等の歩行台下において羽根つき杭の圧入を行うことのできる低頭型の羽根つき杭回転圧入装置を提供する。【解決手段】  羽根つき杭の羽根が通過可能の広開口をほぼ中央部に有するベースフレーム上に複数本の圧入用シリンダを立設し、該圧入用シリンダに、上記羽根が通過可能の広開口をほぼ中央部に有する昇降フレームを昇降駆動自在に支持し、  上記昇降フレームに、上記羽根つき杭の胴部に着脱自在の環状チャック板を有するチャック装置を、上記広開口内に陥入した状態で、回転自在に支持すると共に、該チャック装置を回転させる駆動手段を装備し、  上記チャック装置を上記昇降フレームと着脱自在とし、該チャック装置を昇降フレームから離脱した後に上記昇降フレーム及びベースフレームの各広開口がのぞむようにした、低頭型羽根つき杭回転圧入装置。【選択図】        図３
2005220602.tif 000002
【特許請求の範囲】
【請求項１】
羽根つき杭の羽根が通過可能の広開口をほぼ中央部に有するベースフレーム上に複数本の圧入用シリンダを立設し、該圧入用シリンダに、上記羽根が通過可能の広開口をほぼ中央部に有する昇降フレームを昇降駆動自在に支持し、
上記昇降フレームに、上記羽根つき杭の胴部に着脱自在の環状チャック板を有するチャック装置を、上記広開口内に陥入した状態で、回転自在に支持すると共に、該チャック装置を回転させる駆動手段を装備し、
上記チャック装置を上記昇降フレームと着脱自在とし、該チャック装置を昇降フレームから離脱した後に上記昇降フレーム及びベースフレームの各広開口がのぞむようにした、
低頭型羽根つき杭回転圧入装置。
【請求項２】
（イ）第１回作業日の歩行者のいない時間帯において、
歩行台の所定位置にピットを掘り、該ピット内に請求項１の低頭型羽根つき杭回転圧入装置を設置し、
次に、上記チャック装置を装置本体から離脱して羽根つき杭の胴部に被挿し、
ついで、上記チャック装置を被挿された羽根つき杭を、羽根を下に吊って、上記装置本体の昇降フレーム及びベースフレームの各広開口内に挿入降下すると共に、上記チャック装置を上記昇降フレームの元の位置に取りつけ、
次に、装置の駆動により上記羽根つき杭を地中に間欠的に回転、圧入し、
杭１本を地中に建込んだら上記ピットの上面開口を覆工板で閉止する、
（ロ）第２回作業日の歩行者のいない時間帯において、
上記覆工板を取り外し、上記先行の羽根つき杭の上端に新たな杭を継ぎ足して上記と同様に羽根つき継ぎ足し杭を地中に間欠的に回転、圧入し、
（ハ）以下所要本数の杭を継ぎ足して地中所望深さの羽根つき杭の建込みを完了する、
歩行台下への羽根つき杭建込み方法。
【発明の詳細な説明】
【技術分野】
【０００１】
本願発明は、駅のプラットホーム等の歩行台の下に羽根つき杭を建込むための低頭型羽根つき杭回転圧入装置、及びそれを用いた歩行台下への羽根つき杭建込み方法に関する。
【背景技術】
【０００２】
本発明者は、さきに、鋼管杭の下端に該鋼管杭胴部よりも大径の掘削羽根を固定してなる、いわゆる羽根つき鋼管杭の回転圧入装置として、該鋼管杭の羽根が通過可能の広開口をほぼ中央部に有するベースフレーム上に複数本の圧入シリンダを立設すると共に、該圧入シリンダに、上記羽根が通過可能の広開口をほぼ中央部に有する昇降フレームを昇降駆動自在に支持し、上記昇降フレーム上に、上記羽根つき鋼管杭の胴部に着脱自在の環状チャック板及びチャック開閉駆動手段からなるチャック装置を回転自在に支持すると共に該チャック装置を回転させる駆動手段を備えた圧入装置において、上記チャック装置を上記昇降フレーム上に着脱自在に支持し、該チャック装置を昇降フレームから取り外した後に昇降フレーム及びベースフレームの各広開口がのぞむようにした構成のものを提案した。
【０００３】
しかし、上記羽根つき鋼管杭回転圧入装置は最上位のチャック装置部分が昇降フレーム上から相当高く突出しているため、これをそのままで上記プラットホーム下での羽根つき鋼管杭圧入に使用した場合、上記チャック装置がプラットホーム上に突出し、昼夜を通してプラットホームの使用が不可能となる欠点があった。
【発明の開示】
【発明が解決しようとする課題】
【０００４】
本願第１発明は、プラットホーム等の歩行台下において羽根つき杭の圧入を行うことのできる低頭型の羽根つき杭回転圧入装置を提供することを課題とし、
【０００５】
本願第２発明は、第１発明の回転圧入装置を使用してプラットホーム等歩行台下に羽根つき杭を建込む方法を提供することを課題とする。
【課題を解決するための手段】
【０００６】
そこで、本願第１発明は、
羽根つき杭の羽根が通過可能の広開口をほぼ中央部に有するベースフレーム上に複数本の圧入用シリンダを立設し、該圧入用シリンダに、上記羽根が通過可能の広開口をほぼ中央部に有する昇降フレームを昇降駆動自在に支持し、
上記昇降フレームに、上記羽根つき杭の胴部に着脱自在の環状チャック板を有するチャック装置を、上記広開口内に陥入した状態で、回転自在に支持すると共に、該チャック装置を回転させる駆動手段を装備し、
上記チャック装置を上記昇降フレームと着脱自在とし、該チャック装置を昇降フレームから離脱した後に上記昇降フレーム及びベースフレームの各広開口がのぞむようにした、
低頭型羽根つき杭回転圧入装置を提案し、
【０００７】
本願第２発明は、
（イ）第１回作業日の歩行者のいない時間帯において、
歩行台の所定位置にピットを掘り、該ピット内に第１発明の低頭型羽根つき杭回転圧入装置を設置し、
次に、上記チャック装置を装置本体から離脱して羽根つき杭の胴部に被挿し、
ついで、上記チャック装置を被挿された羽根つき杭を、羽根を下に吊って、上記装置本体の昇降フレーム及びベースフレームの各広開口内に挿入降下すると共に、上記チャック装置を上記昇降フレームの元の位置に取りつけ、
次に、装置の駆動により上記羽根つき杭を地中に間欠的に回転、圧入し、
杭１本を地中に建込んだら上記ピットの上面開口を覆工板で閉止する、
（ロ）第２回作業日の歩行者のいない時間帯において、
上記覆工板を取り外し、上記先行の羽根つき杭の上端に新たな杭を継ぎ足して上記と同様に羽根つき継ぎ足し杭を地中に間欠的に回転、圧入し、
（ハ）以下所要本数の杭を継ぎ足して地中所望深さの羽根つき杭の建込みを完了する、
歩行台下への羽根つき杭建込み方法を提案する。
【発明の効果】
【０００８】
本願第１発明の低頭型羽根つき杭回転圧入装置によれば、昇降フレームの広開口を、さらにはベースフレームの広開口をも利用して、該広開口内にチャック装置を陥入して昇降フレームに支持させることにより、従来装置において相当高く突出していたチャック装置の突出高さを大幅に低くすることができ、それによりプラットホーム等の歩行台の下に本装置を設置して杭圧入作業を行った場合、該歩行台上での人々の安全歩行を確保したい時間帯には、作業を中止して、本装置を歩行台上面から突出させることなく歩行台下に収納することができるのである。
【０００９】
本願第２発明の歩行台下への羽根つき杭建込み方法によれば、第１発明の低頭型回転圧入装置を使用するから、歩行者のいない夜間等の時間帯に、本装置をピット内に設置して羽根つき杭１本の建込みを完了したら、上記ピットを覆工板で閉成することができ、それにより歩行台上での人々の安全歩行を確保することができ、この時間帯での作業と覆工板閉成を繰返すことにより歩行台上の歩行に支障を与えることなく杭建込み作業を遂行することが可能となり、しかも作業においては、ピット内の回転圧入装置に羽根つき杭を装着するには、比較的軽量のチャック装置を装置本体から離脱させる手軽な作業で装着可能となり、また離脱したチャック装置を羽根つき杭の胴部に被挿し、この羽根つき杭を、羽根を下に向けて昇降フレーム及びベースフレームの各広開口内に挿入降下すると、チャック装置も同時に元の取りつけ位置に降下させることができ、作業能率の向上に資するのである。
【発明を実施するための最良の形態】
【００１０】
本願第１発明における上記「チャック装置を広開口内に陥入した状態で…支持する」とは、昇降フレームの広開口内に陥入した状態で…支持する、のほか、昇降フレームの広開口からベースフレームの広開口にわたって陥入した状態で…支持することも含む。
【００１１】
又、上記「チャック装置」には、３枚の弧状チャック板をループ状に連鎖し、その両端に連結した油圧シリンダの伸縮駆動により連鎖を拡縮するもの、円弧上に配置した多数チャック板を、油圧シリンダの伸縮駆動によりトッグルリンク機構を介して円弧の中心方向に進退させるもの、円弧上に配置した多数チャック板を、油圧シリンダの伸縮駆動によりクサビ機構を介して円弧の中心方向に進退させるもの、その他種々の構造のチャック板を環状に配置してなるチャック装置が使用される。
【実施例】
【００１２】
（第１発明の実施例）
図１、２、３において、中央部に広い開口（１’）を有する矩形枠形のベースフレーム（１）上面に、４本の圧入用油圧シリンダ（３）…を立設し、該シリンダ（３）…に、中央部に広い円形窓（５）を有するほぼ矩形状の昇降フレーム（４）を昇降駆動可能に支持すると共に、該窓（５）の下枠部に、内側に円形の広開口（４’）を有する横断面Ｌ字状の環状マウント（９）をベアリング（１０）を介して回転自在に支持し、この昇降フレームのマウント（９）上に、チャック装置（６）を、該チャック装置（６）の本例では下半体を、上記広開口（４’）内に陥入した状態で、着脱自在に支持させると共に、昇降フレームに対してはマウント（９）を介して回転自在に支持してある。（８）…はベースフレーム（１）の四隅に設けたアウトリガーである。
【００１３】
上記昇降フレーム（４）上には、チャック装置回転駆動用の４個の油圧モータ（７）…を設置し、各モータ（７）…の出力軸（１２）を昇降フレーム（４）内に突出すると共に各出力軸（１２）…に小歯車（１３）…を固着し、一方、上記マウント（９）の上端部に環状大歯車（１１）を該マウント（９）と同心的に固定し、この大歯車（１１）に上記小歯車（１３）…をそれぞれかみ合わせ、それにより各モータ（７）…の回転を小歯車（１３）…、大歯車（１１）を介してマウント（９）及びチャック装置（６）に伝達する。
【００１４】
上記チャック装置（６）は、支持台（１４）上にチャック板セットを配設したもので、上記支持台（１４）は、短円筒状台（１５）の上端に小幅の上部フランジ（１６）を、下端に広幅の下部フランジ（１７）をそれぞれ突設し、その下部フランジ（１７）は、上記マウント（９）の水平部材上に載置できる幅に形成されると共に、該フランジ（１７）の周辺部下面に複数本の係止ピン（１８）（本例では４本）を突設し、他方のマウント（９）の水平部材に、上記係止ピン（１８）…に対応する位置にピン係止孔（１９）…を設け、これら係止孔（１９）…に係止ピン（１８）…を挿入し、適宜の抜け止めピンを係止ピン（１８）…に差しこむようにしてある。なお上記支持台（１４）の内径は、後述のチャック板セットの開放時の内径とほぼ同径である。
【００１５】
上記チャック板セットは、本例では、図１に示すように、それぞれほぼ３分の１円弧の固定チャック板（２１）と可動チャック板（２２）、（２２）とからなり、固定チャック板（２１）は、上記支持台（１４）の上部フランジ（１６）上にボルト・ナット（２３）…により固定され、可動チャック板（２２）、（２２）は、その各一端部を上記固定チャック板（２１）の両端部にそれぞれ軸（２４）、（２４）により上部フランジ（１６）上で揺動自在に連結すると共に、各他端部にチャック開閉用油圧シリンダ（２５）、（２５）の基部及びピストンロッド（２６）、（２６）端部をそれぞれピン（２７）、（２８）により連結してある。
【００１６】
上記のような回転圧入装置（Ａ）におけるチャック板（２１）、（２２）、（２２）のチャック開放時の内径は、羽根（３０）つき鋼管杭（２９）の杭胴部の外径よりやや大径とし、又上記ベースフレーム（１）及びマウント（９）の広開口（１’）及び（４’）は鋼管杭（２９）の羽根（３０）が挿脱できる広さにしてある。
【００１７】
（第２発明の実施例）
上記の低頭回転圧入装置（Ａ）を使用してプラットホーム下に羽根つき鋼管杭（２９）を建込む方法について説明する。歩行者のいない夜間において、まず、図５（イ）に示すように、プラットホーム（Ｆ）の杭建込み位置にピット（Ｐ）を掘削し、該ピット（Ｐ）内に回転圧入装置（Ａ）を設置し、各アウトリガー（８）を伸長する。
【００１８】
次に、チャック装置（６）の係止ピン（１８）…から抜け止めピンを外した後、同図（ロ）に示すように、チャック装置（６）全体をクレーン（Ｃ）により吊り上げて装置本体（Ａ’）から取り外す。
【００１９】
次に、上記取り外したチャック装置（６）を羽根（３０）つき鋼管杭（２９）の胴部に被挿し、このチャック装置（６）の被挿された羽根つき鋼管杭（２９）をクレーン（Ｃ）により羽根（３０）を下にして吊り上げ、同図（ハ）のように装置本体（Ａ’）の上位に搬送し、そして昇降フレーム（４）及びベースフレーム（１）の各広開口（４’）、（１’）内に徐々に降下挿入する。チャック装置（６）の下部フランジ（１７）をマウント（９）上に受支させると共に係止ピン（１８）…を係止孔（１９）…に差しこみ、抜け止めピンを係止する（図６（ニ））。
【００２０】
次に、同図（ニ）の状態から、チャック装置（６）のチャック板（２１）、（２２）、（２２）を閉縮して鋼管杭（２９）をチャックした後、油圧モータ（７）…の駆動により小歯車（１３）…、大歯車（１１）、マウント（９）を介してチャック装置（６）を回転させ、それにより羽根つき鋼管杭（２９）を回転させ、ついで圧入用油圧シリンダ（３）…の駆動により鋼管杭（２９）を地中に圧入していく。
【００２１】
上記羽根つき鋼管杭（２９）の回転、圧入を間欠的に繰返して、同図（ホ）のように鋼管杭（２９）１本を建込んだら、覆工板（Ｄ）によりピット（Ｐ）の開口を仮閉止してその日の作業を完了する。上記仮閉止において、装置（Ａ）が低頭型であるため覆工板（Ｄ）を容易に閉止できる。
【００２２】
翌日の作業としては、上記覆工板（Ｄ）を取り除き、ついで新たな羽根なしの鋼管杭（２９’）を同図（ヘ）のようにクレーン（Ｃ）により吊って先行の羽根つき鋼管杭（２９）の上端に継ぎ足す。ついで、この継ぎ足し鋼管杭を、上述と同様、回転、圧入の間欠的作業により建込み、必要によってはさらに新たな羽根なし鋼管杭を同様に継ぎ足して建込みを行う。
【図面の簡単な説明】
【００２３】
【図１】本願第１発明による低頭型羽根つき鋼管杭回転圧入装置の平面図である。
【図２】同上正面図である。
【図３】図１のＩＩＩ−ＩＩＩ線拡大断面図である。
【図４】図３における装置本体から離脱したチャック装置の縦断面図である。
【図５】（イ）、（ロ）、（ハ）  第２発明によるプラットホーム下への羽根つき鋼管杭建込み方法の工程を示す各略線断面図である。
【図６】（ニ）、（ホ）、（ヘ）  第２発明によるプラットホーム下への羽根つき鋼管杭建込み方法の工程図を示す各略線断面図である。
【符号の説明】
【００２４】
Ａ  低頭型羽根つき鋼管杭回転圧入装置
１  ベースフレーム
１’広開口
３  圧入油圧シリンダ
４  昇降フレーム
４’広開口
６  チャック装置
７  回転駆動用油圧モータ
２１、２２  チャック板
２９  鋼管杭
３０  羽根
Ｆ  プラットホーム
Ｐ  ピット
Ｄ  覆工板
【図１】
2005220602.tif 000003
【図２】
2005220602.tif 000004
【図３】
2005220602.tif 000005
【図４】
2005220602.tif 000006
【図５】
2005220602.tif 000007
【図６】
2005220602.tif 000008